(57)【要約】【課題】表示する動画を顧客に応じて適宜変更できる電子メニュー装置及び電子メニュープログラムを提供する。【解決手段】電子メニュー装置は、入出力装置と、日時を出力するクロックと、日時、曜日、期間のうちから一つ以上を含む属性情報及びこの属性情報に関連付けられた動画に関する情報を含む編集データと表示する動画のデータである素材データとを含む編集ファイルと、クロックが出力した日時に基づいて編集ファイルを検索し、該当する素材データを入出力装置に表示する制御部と、を備える。【選択図】図２
2014132409.tif 000002
【特許請求の範囲】
【請求項１】
入出力装置と、
日時を出力するクロックと、
日時、曜日、期間のうちから一つ以上を含む属性情報及び前記属性情報に関連付けられた動画に関する情報を含む編集データと表示する動画のデータである素材データとを含む編集ファイルと、
前記クロックが出力した日時に基づいて前記編集ファイルを検索し、該当する前記素材データを前記入出力装置に表示する制御部と、
を備える電子メニュー装置。
【請求項２】
前記制御部は、
前記クロックが出力した日時に基づいて前記編集ファイルを検索し、該当する前記素材データを前記入出力装置にすでに表示されている前記素材データに代えて表示する
請求項１記載の電子メニュー装置。
【請求項３】
前記制御部は、
前記入出力装置からオペレータモードが指定された場合、顧客の年齢、顧客の性別、顧客の来店形態の中から一つ以上選ばれる前記属性情報を入力する属性入力欄を含むオペレータモード画面を前記入出力装置に表示する請求項２記載の電子メニュー装置。
【請求項４】
前記制御部は、
前記クロックが出力した日時、及び顧客の年齢、顧客の性別、顧客の来店形態の中から一つ以上選ばれる前記属性情報に基づいて前記編集ファイルを検索し、該当する前記素材データを前記入出力装置にすでに表示されている前記素材データに代えて表示する
請求項３記載の電子メニュー装置。
【請求項５】
前記オペレータモード画面は、
属性入力を中止するキャンセルボタンを含む請求項４記載の電子メニュー装置。
【請求項６】
コンピュータを
日時を出力する日付出力手段と、
日時、曜日、期間のうちから一つ以上を含む属性及び前記属性情報に関連付けられた動画に関する情報を含む編集データを検索する検索手段と、
検索結果に基づいて読みだした前記素材データを前記入出力装置に表示する表示手段と、
として機能させるための電子メニュープログラム。
【発明の詳細な説明】
【技術分野】
【０００１】
本発明の実施形態は、電子メニュー装置及び電子メニュープログラムに関する。
【背景技術】
【０００２】
近年、タブレット型の携帯端末が普及し、この携帯端末を利用した電子メニュー装置が一般化しつつある。この電子メニュー装置は多数の画像やテキストを顧客の指示によって表示することができるため、商品のアピールに効果的である。
【０００３】
この電子メニュー装置は、静止画像のみならず動画も表示できる。この動画のコンテンツは、商品の販売店の営業に関係のある内容のものを適宜表示できれば、顧客に対する商品訴求力のアップにつながり、売り上げの向上に対して効果的である。
【０００４】
しかし、従来の電子メニュー装置は表示する動画を適宜に交換するには電子メニューのデータを編集しなおす必要があった。従って、販売店は営業中には動画の交換が困難であり、とりわけ日付や時間帯に応じて表示する動画を変化させることはきわめて困難であった。
【先行技術文献】
【特許文献】
【０００５】
【特許文献１】特開２０１０−７９６０７号公報
【発明の概要】
【発明が解決しようとする課題】
【０００６】
したがって、表示する動画を日付や時間帯に応じて適宜変更できる電子メニュー装置及び電子メニュープログラムが求められている。
【課題を解決するための手段】
【０００７】
上記の課題を解決するために、本発明の一実施形態は、入出力装置と、日時を出力するクロックと、日時、曜日、期間のうちから一つ以上を含む属性情報及び属性情報に関連付けられた動画に関する情報を含む編集データと表示する動画のデータである素材データとを含む編集ファイルと、クロックが出力した日時に基づいて編集ファイルを検索し、該当する素材データを入出力装置に表示する制御部と、を備える電子メニュー装置を提供する。
【図面の簡単な説明】
【０００８】
【図１】電子メニュー装置の構成を示すブロック図である。
【図２】電子メニュー装置の構成を示すブロック図である。
【図３】電子メニュー装置の動作を示すフローチャートである。
【図４】電子メニュー装置のオペレータモードの画面の例を示す図である。
【図５】電子メニュー装置のメニュー表示画面の第１の例を示す図である。
【図６】電子メニュー装置のメニュー表示画面の第２の例を示す図である。
【発明を実施するための形態】
【０００９】
以下、電子メニュー装置及び電子メニュープログラムの一実施形態について、図面を用いて詳細に説明する。
【００１０】
本実施形態の電子メニュー装置は、入出力装置と、日時を出力するクロックと、日時、曜日、期間のうちから一つ以上を含む属性情報及び属性情報に関連付けられた動画に関する情報を含む編集データと表示する動画のデータである素材データとを含む編集ファイルと、クロックが出力した日時に基づいて編集ファイルを検索し、該当する素材データを入出力装置に表示する制御部と、を備える。
【００１１】
図１は、本実施形態の電子メニュー装置１００の構成を示すブロック図である。図１に示すように、電子メニュー装置１００は、制御部であるＣＰＵ１０１と、キーボード、マウス、ディスプレイ、あるいはタッチパネルなどの入出力装置１０２と、ＲＡＭ、ＲＯＭなどのメモリ１０３と、フラッシュメモリ、ハードディスクドライブなどの記憶装置１０４と、ＳＤカード、ＵＳＢメモリのような携帯型の記憶媒体の入出力装置である記憶媒体入出力装置１０５と、日付及び時間を出力するクロック１０６と、を備える。
【００１２】
電子メニュー装置１００は、記憶装置１０４に、電子メニューのデータ本体である編集ファイル１０４Ａと、を格納する。
【００１３】
編集ファイル１０４Ａは、アイテムの画像、及び動画などの素材データ１０４Ｂと、素材データ１０４Ｂの表示方法を示す編集データ１０４Ｃと、を含む。
【００１４】
電子メニュー装置１００はコンピュータであるいわゆるタブレット端末であってもよい。この場合、電子メニュー装置１００は、記憶装置１０４に電子メニュー編集プログラムを格納し、この電子メニュー編集プログラムをメモリ１０３に読みだして順次ＣＰＵ１０１が実行する。
【００１５】
素材データ１０４Ｂは、静止画像のほか、動画、音声を含んでもよい。
【００１６】
編集データ１０４Ｃは、電子メニュー装置１００が解釈できるフォーマットによって記載される。編集データ１０４Ｃは、例えばＸＭＬによって記載されるが、これに限られるものではない。
【００１７】
電子メニュー装置１００は、編集データ１０４Ｃを解釈できるソフトウエアを含む表示手段を備え、この表示手段によって編集データ１０４Ｃの記載に基づいて素材データ１０４Ｂと、編集データ１０４Ｃに記載されたテキストデータと、を入出力装置１０２にメニュー及び動画として表示する。
【００１８】
図２は、編集データ１０４Ｃのデータ構成を示す図である。図２に示すように、編集データ１０４Ｃは、電子メニューの名前、背景画像などの基本情報を示す「基本情報」と、電子メニューのカテゴリのページに関する情報を示す「カテゴリ情報」と、電子メニューにメニューとともに表示し、或いはスクリーンセーバとして表示する動画に関する情報である「動画情報」と、を含む。
【００１９】
カテゴリ情報は、各カテゴリを示す画像の配列パターンを示す「カテゴリ配列パターン」と、カテゴリのページにこの配列パターンに従って表示する各カテゴリを示す「カテゴリリスト」と、を含む。
【００２０】
カテゴリ配列パターンは、予め電子メニュー編集プログラムの内部によって、例えば１ページに４カテゴリ、１ページに８カテゴリなど、数種類定義される。
【００２１】
カテゴリリストは、ユーザが任意の数のカテゴリを登録できる。
【００２２】
カテゴリリストは、当該カテゴリの名称である「カテゴリ名」と、当該カテゴリに関して表示される画像である「カテゴリ画像」と、当該カテゴリの説明文である「カテゴリテキスト」と、当該カテゴリに属するアイテムに関する情報である「アイテム情報」と、を含む。
【００２３】
アイテム情報は、ユーザが任意の数のアイテムを当該カテゴリに登録できる。
【００２４】
アイテム情報は、各アイテムを示す画像の配列パターンを示す「アイテム配列パターン」と、アイテムのページにこの配列パターンに従って表示する各アイテムを示す「アイテムリスト」と、を含む。
【００２５】
アイテム配列パターンは、予め電子メニュー編集プログラムの内部によって、例えば１ページに８アイテム、１ページに１６アイテムなど、数種類定義される。
【００２６】
アイテムリリストは、ユーザが任意の数のアイテムを登録できる。
【００２７】
アイテムリストは、当該アイテムの名称である「アイテム名」と、当該アイテムに関して表示される画像である「アイテム画像」と、当該アイテムの説明文である「アイテムテキスト」と、当該アイテムの価格である「アイテム価格」と、を含む。
【００２８】
動画情報は、来店した顧客の属性である。「属性情報」と、表示する動画の所在、名前を示す「動画」と、を含む。
【００２９】
属性情報は、例えば、再生すべき曜日を示す「曜日」と、再生すべき期間を示す「イベント期間」と、再生すべき時間帯を示す「時間帯」と、来店した顧客の年齢層を示す「年齢」と、来店した顧客の性別を示す「性別」と、を含むが、これに限られるものではない。
【００３０】
図３は、電子メニュー装置１００の動作を示すフローチャートである。図３に示すように、ステップ３０１において、電子メニュー装置１００は、オペレータモードであるかを判定する。
【００３１】
電子メニュー装置１００は、電子メニューの画面の特定の場所を所定時間タッチされた場合、顧客が使用するメニューを表示するカスタマモードから店員が使用するオペレータモードに移行する。
【００３２】
電子メニュー装置１００は、オペレータモードであると判定した場合、ステップ３０２に進み、オペレータモードであると判定しなかった場合、ステップ３０７に進む。
【００３３】
ステップ３０２において、電子メニュー装置１００は、顧客の属性を入力する。
【００３４】
図４は、電子メニュー装置１００のオペレータモードの画面の例を示す図である。図４に示すように、電子メニュー装置１００は、オペレータモードにおいて、入出力装置１０２にオペレータモード画面４０１を表示する。
【００３５】
オペレータモード画面４０１は、属性入力欄４０２と、確定ボタン４０３とキャンセルボタン４０４、を含む。属性入力欄４０２は、例えば、来店形態、性別、年齢などをチェックボックスによって入力する入力欄を含む。
【００３６】
オペレータは、来店した顧客の属性を、チェックボックスをタップすることにより入力し、確定ボタン４０３を押下することにより属性入力を確定させる。
【００３７】
また、オペレータは、属性入力を途中で中止する場合にはキャンセルボタン４０４を押下する。
【００３８】
電子メニュー装置１００は、図４に示す確定ボタン４０３又はキャンセルボタン４０４が押下された場合、オペレータモードからカスタマモードに移行する。
【００３９】
図３に戻って説明する。ステップ３０３において、電子メニュー装置１００は、確定ボタン４０３又はキャンセルボタン４０４が押下されたことにより、属性の入力が確定したかを判定する。電子メニュー装置１００は、確定ボタン４０３が押下されたことにより属性の入力が確定したと判定した場合、ステップ３０５に進み、キャンセルボタン４０４が押下されたことにより属性の入力が確定していないと判定した場合、ステップ３０４に進む。
【００４０】
ステップ３０４において、電子メニュー装置１００は、属性の入力がされなかった場合は、デフォルトに設定された動画を選択する。
【００４１】
ステップ３０５において、電子メニュー装置１００は、クロック１０６から日付および時間を読み込み、併せて曜日を判定する。
【００４２】
ステップ３０６において、電子メニュー装置１００は、日時、曜日、および入力されたその他の属性に基づいて編集データ１０４Ｃの＜動画情報＞の＜属性＞を検索し、該当する動画を選択する。
【００４３】
ステップ３０７において、電子メニュー装置１００は、選択された動画を再生する。
【００４４】
図５は、電子メニュー装置１００のメニュー表示画面の第１の例を示す図である。図５に示すように、電子メニュー装置１００は、入出力装置１０２にメニュー表示画面５０１を表示する。
【００４５】
電子メニュー装置１００は、メニュー表示画面５０１にカテゴリメニュー欄５０２と、第１の動画５０３Ａと、を表示する。
【００４６】
例えば、クロック１０６が出力した日時、及びこの日時から判定した曜日が、２０１２年１１月０９日（金）１０時３０分であり、入力された属性情報がＡ４：カップル、Ｂ３：男女同比率、Ｃ２：２０歳〜２９歳に該当する場合、電子メニュー装置１００は、この属性情報に該当する動画である第１の動画５０３Ａ「モーニングセットは１１：００までです。」を選択し、カテゴリメニュー欄５０２の横に表示する。
【００４７】
図６は、電子メニュー装置１００のメニュー表示画面の第２の例を示す図である。図６に示すように、電子メニュー装置１００は、入出力装置１０２にメニュー表示画面５０１を表示する。
【００４８】
電子メニュー装置１００は、メニュー表示画面５０１にカテゴリメニュー欄５０２と、第２の動画５０３Ｂと、を表示する。
【００４９】
例えば、クロック１０６が出力した日時、及びこの日時から判定した曜日が、２０１２年１１月１１日（日）１２時３０分であり、入力された属性情報がＡ１：家族（子供連れ）、Ｂ３：男女同比率、Ｃ３：３０歳〜３９歳に該当する場合、電子メニュー装置１００は、この属性情報に該当する動画である第２の動画５０３Ｂ「クリスマス・ディナー予約受付中！」を選択し、カテゴリメニュー欄５０２の横に表示する。
【００５０】
第１の動画５０３Ａと、第２の動画５０３Ｂとの切換は、クロック１０６の出力、及び顧客が来店し、テーブルに着いた際にオペレータが電子メニュー装置１００をオペレータモードに設定し、オペレータが入力した顧客の属性に基づいて、電子メニュー装置１００が行う。
【００５１】
以上述べたように、本実施形態の電子メニュー装置１００は、入出力装置１０２と、日時を出力するクロック１０６と、日時、曜日、期間のうちから一つ以上を含む属性情報及びこの属性情報に関連付けられた動画に関する情報を含む編集データ１０４Ｃと表示する動画のデータである素材データ１０４Ｂとを含む編集ファイル１０４Ａと、クロック１０６が出力した日時に基づいて編集ファイル１０４Ａを検索し、該当する素材データ１０４Ｂを入出力装置１０２に表示する制御部と、を備える。
【００５２】
従って、表示する動画を顧客に応じて適宜変更できるという効果がある。
【００５３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１０４Ａ：編集ファイル
１０４Ｂ：素材データ
１０４Ｃ：編集データ
１０６：クロック
【図１】
2014132409.tif 000003
【図２】
2014132409.tif 000004
【図３】
2014132409.tif 000005
【図４】
2014132409.tif 000006
【図５】
2014132409.tif 000007
【図６】
2014132409.tif 000008